(57)【要約】【課題】簡単な構成で、用いる香りの種類の増加にも柔軟に対応する。【解決手段】収納容器９の中を仕切り１１により複数の室に分け、１つの室には芳香剤を入れずに残香除去用として用い、その他の室それぞれに各種芳香剤を収納する。各室には、エレベータかご内につながる送気口６の位置に合致する壁面穴１０と、外箱５の内底に設けられた通気口の位置に合致する通気穴とが設けられている。外箱５内のファンの送風によってスリット７から吸入された外気が通気口を通ってただ一つの室に送り込まれ、香りを含む空気が生成される。その空気は、壁面穴１０、送気口６、配管を通りかご内に導かれる。香りを変えるとき、収納容器９を回転させ残香除去用室を送気口６のある位置に合わせ、ファンの送風によって配管内の香り空気を排出する。その後、所望の芳香剤が収納された室を送気口６のある位置に合わせ、ファンの送風によって香り空気を生成する。【選択図】図２
2006021923.tif 000002
【特許請求の範囲】
【請求項１】
複数の芳香剤を収納し、相対的に回動可能な収納容器と、
前記収納容器の内部を複数に分割することによって形成され、それぞれに芳香剤が収納される室と、
同時にいずれか一つの前記室のみに外気をただ一つの外気口から送り込むと共に当該室内の空気をただ一つの送気口から排出させる送風機構と、
入力操作により選択された室に対して前記送風機構により外気が送り込まれるように前記収納容器を相対的に回動させて当該選択された室と前記外気口及び前記送気口の各配設位置との位置合わせをする回動機構と、
を有することを特徴とする香り供給装置。
【請求項２】
前記室の少なくとも一つから芳香剤を除去することにより当該室を残香除去用として利用することを特徴とする請求項１記載の香り供給装置。
【請求項３】
前記外気口及び前記送気口が配設され、前記収納容器の回転軸を軸止することによって前記収納容器を回動可能に収容する筐体と、
前記室に設けられ、前記外気口から送り込まれる外気を取り入れる取入口と、
前記室に設けられ、室内の空気を前記送気口へ送り出す通気口と、
を有し、入力操作により選択された室の前記取入口及び前記通気口がそれぞれ前記外気口及び前記送気口の位置と合致することで外気の当該室への取入れ及び当該室からの排気が可能になることを特徴とする請求項１又は２記載の香り供給装置。
【発明の詳細な説明】
【技術分野】
【０００１】
本発明は、エレベータのかご室内に香りを供給する香り供給装置、特に香りの種類の増加に適合した装置構成に関する。
【背景技術】
【０００２】
図１４は、特許文献１に記載された従来の香り供給装置である。図１４において、送風機５１は、香りを供給する元の空気を吐出する。配管５２は、送風機５１から吐出された空気を電磁弁５３ａ〜５３ｃ，５９に導く。電磁弁５３ａ〜５３ｃは、開閉により配管５２との通気を制御している。配管を介してそれぞれ電磁弁５３ａ〜５３ｃに接続された格納容器５４ａ〜５４ｃは、内部に芳香剤５５ａ〜５５ｃを収納する。電磁弁５６ａ〜５６ｃは、配管を介して格納容器５４ａ〜５４ｃにそれぞれ接続されており、電磁弁５６ａ〜５６ｃの開閉により格納容器５４との通気を制御している。配管５７は、開いた状態の電磁弁５６ａ〜５６ｃを通して格納容器５４ａ〜５４ｃの中の芳香剤５５ａ〜５５ｃを含んだ空気を消音器５８まで導く。電磁弁５９は、電磁弁５３と同様に開閉することにより配管５２との通気を制御する。バイパス配管６０は、配管５７に接続されている。
【０００３】
次に、従来の装置における動作について説明する。
【０００４】
まず、送風機５１を作動させるとともに例えば電磁弁５３ａ，５６ａを開くことにより、送風機５１から吐出された空気は、配管５２を通して格納容器５４ａに導きかれる。これにより、空気には、格納容器５４ａ内の芳香剤５５ａから発する香りが含まれることになる。香りを含む空気は、配管５７、消音器５８を通してエレベータかご内に供給される。
【０００５】
別の香りを供給する場合、開いていた電磁弁５３ａ，５６ａを閉じるとともに電磁弁５９を開いて空気のみをバイパス管６０から配管５７に導きエレベータかご内に吹き出す。このようにして配管５７内に残った香りをいったん取り除く。その後、例えば電磁弁５３ｂ，５６ｂを開くことにより格納容器５４ｂ内の芳香剤５５ｂの香りを含む空気は、配管５７、消音器５８を通してエレベータかご内に供給される。
【０００６】
【特許文献１】特開平６−２７１２４７号公報
【発明の開示】
【発明が解決しようとする課題】
【０００７】
しかしながら、従来の香り供給装置は、図１４から明らかなように、用いる香りの種類の数だけ配管と格納容器及び電磁弁が必要となるため、香りが多くなると装置の構成が複雑かつ大規模、更に高価になってしまうという問題があった。
【０００８】
本発明は、以上のような課題を解決するためになされたものであり、その目的は、簡単な構成で、用いる香りの種類の増加にも柔軟に対応できる香り供給装置を提供することにある。また、装置の大規模化を抑止することによって安価な香り供給装置を提供することにある。
【課題を解決するための手段】
【０００９】
以上のような目的を達成するために、本発明に係る香り供給装置は、複数の芳香剤を収納し、相対的に回動可能な収納容器と、前記収納容器の内部を複数に分割することによって形成され、それぞれに芳香剤が収納される室と、同時にいずれか一つの前記室のみに外気をただ一つの外気口から送り込むと共に当該室内の空気をただ一つの送気口から排出させる送風機構と、入力操作により選択された室に対して前記送風機構により外気が送り込まれるように前記収納容器を相対的に回動させて当該選択された室と前記外気口及び前記送気口の各配設位置との位置合わせをする回動機構とを有することを特徴とする。
【００１０】
また、前記室の少なくとも一つから芳香剤を除去することにより当該室を残香除去用として利用することを特徴とする。
【００１１】
また、前記外気口及び前記送気口が配設され、前記収納容器の回転軸を軸止することによって前記収納容器を回動可能に収容する筐体と、前記室に設けられ、前記外気口から送り込まれる外気を取り入れる取入口と、前記室に設けられ、室内の空気を前記送気口へ送り出す通気口とを有し、入力操作により選択された室の前記取入口及び前記通気口がそれぞれ前記外気口及び前記送気口の位置と合致することで外気の当該室への取入れ及び当該室からの排気が可能になることを特徴とする。
【発明の効果】
【００１２】
本発明によれば、収納容器内を複数の室に分け、各室に芳香剤を収納し、収納容器を回転させることで香りを含む空気を生成する芳香剤を選択できるような構成とした。これにより、各室に芳香剤を収納するだけで香りの種類を増やすことができる。また、芳香剤の種類数分の配管や電磁弁等の部品は不要となり、この結果装置を安価に提供することができる。
【発明を実施するための最良の形態】
【００１３】
以下、図面に基づいて、本発明の好適な実施の形態について説明する。
【００１４】
図１は、本発明に係る香り供給装置の一実施の形態を示した全体構成図である。図１に示したように、香り供給装置の本体２は、例えばエレベータのかご１の外側天井等の空きスペースに設置される。香り供給装置の本体２とかご１の室内に設けられた吹出口４とは、配管３によって接続されており、本体２の中で作られた香りを含んだ空気（以下、「香り空気」）は、配管３を通ってかご１の室内に導かれ放出される。
【００１５】
図２は、本実施の形態における香り供給装置本体２の分解斜視図である。また、図３及び図４はそれぞれ外箱５の平面図と側面図、図５及び図６はそれぞれ収納容器９の平面図と側面図、図７及び図８はそれぞれ外箱５の蓋１４の平面図と側面図である。本実施の形態における香り供給装置の本体２は、外箱５に収納容器９を収容し、蓋１３で収納容器９を、蓋１４で外箱５を、それぞれ上面を密閉する構造を有している。
【００１６】
外箱５は、略円筒形状をしており、その内部には内底１６により二重の空間が設けられている。外箱５には、二重空間の上方部分から外部へ送気する送気口６と、二重空間の下方部分に外気を取り入れる外気口に相当するスリット７とがそれぞれ１つずつ設けられている。後述する内容から明らかになるが、本実施の形態ではスリット７から送気口６までの間、収納容器９の内部を縦に仕切ることで形成した室を空気が通り抜けるため、送気口６は、スリット７のほぼ上方に設けておくことが好ましい。更に、外箱５には、かご１の天井に載置する際に外箱５を支える足８が底に設けられている。足８は、ゴム質等の緩衝材で形成される。内底１６には、後述する収納容器９の回転軸１２を軸支するための軸穴１７及びスリット７から取り入れた外気を収納容器９へ送り込む通気口１８が設けられている。
【００１７】
収納容器９は、外箱５の二重空間の上方部分に収容される。収納容器９の外径は、外箱５の内径とほぼ等しい略円筒形状で形成され、外箱５の中で回動可能に収容される。収納容器９の回転軸１２は、前述した内底１６の軸穴１７でその下方を、蓋１４に設けられた軸穴１５でその上方をそれぞれ軸止される。収納容器９の内部は、仕切り１１によって縦に等分に仕切られている。この仕切り１１によって形成された各室には、それぞれ一つずつ壁面穴１０が設けられている。詳細は追って説明するが、香り空気は壁面穴１０及び送気口６を通ってかご１の室内に送られるため、各壁面穴１０は、収納容器９の回転が抑止されているときに送気口６と一致する位置に設けられている。また、壁面穴１０の開口面積を送気口６と同じにする。
【００１８】
収納容器９も外箱５と同様に内底２１が配設され、収納容器９の底板との間に隙間を設けている。但し、収納容器９の内底２１は、網状部材で形成されている。収納容器９の底面には、フェルト状のパッキン２２が貼り付けられる。収納容器９の底面の回転軸１２の周りには、パッキン２２を切り欠いてスペーサー１９を形成する。スペーサー１９を設けることで、外箱５の内底１６と収納容器９との間に微弱な間隙を確保することができ、これにより、収納容器９が回転軸１２を軸としてスムーズに回転できるようになる。なお、パッキン２２とスペーサー１９の厚みを同じにする。
【００１９】
収納容器９の内部は、前述したように仕切り１１によって複数の室に分けられているが、収納容器９の底面には、室毎に通気穴２０が設けられている。詳細は追って説明するが、外気は本体２の内底１６に設けられた通気口１８及び収納容器９の底面に設けられた通気穴２０を通って収納容器９の室内に送られるため、通気口１８といずれかの通気穴２０とは、収納容器９の回転が抑止されているときに一致する位置に設けられている。また、通気穴２０の開口面積を通気口１８と同じにする。
【００２０】
収納容器９の蓋１３は、収納容器９の内周及び仕切り１１の上面と密着できるような大きさ、形状をしており、仕切り１１の上に載置されることにより収納容器９の上方を塞ぐ。更にその上から外箱５の蓋１４を載せることで収納容器９を外箱５の中に収容する。蓋１４の中心部には、蓋１３と同様に軸穴１５が設けられており、回転軸１２を回転自在に上部で支えている。
【００２１】
図９及び図１０は、それぞれ内底１６で仕切られることで形成された外箱５の内部の二重空間のうち下部空間内の平面図と側面図である。図には、一度に定められた一定角度だけ回転するステップモーター２３と、収納容器９の回転軸１２とステップモーター２３の軸を接続固定しステップモーター２３の回転を収納容器９に伝達する継手２４と、内底１６の通気口１８の位置に取り付けられスリット７から吸入された外気を外箱５の上面へ通気口１８を通して送気するファン２５と、ファン２５に駆動によりスリット７から吸入される空気に含まれる塵埃を除去するエアフィルター２６とが示されている。なお、ステップモーター２３における一定の回転角度というのは、各室の大きさによって決定される。図５に例示したように収納容器９の内部を６分割したときには、収納容器９を６０度ずつ回転させることになる。
【００２２】
図１１及び図１２は、芳香剤２７を収納容器９に収納した状態の香り供給装置の本体２の平面図と側面図である。芳香剤２７は、仕切り１１により形成されたいずれかの室に収納されるが、図１１の室２９のように少なくとも１箇所は、芳香剤を収納しない。すなわち、後述する動作の説明にて明らかになるが、芳香剤を収納しない室を残香除去用として利用する。少なくとも１室なので、芳香剤２７を収納しなければ、その室は全て残香除去用室として利用できる。本実施の形態では、図１１に示したように収納容器９の中を６室に等分割したので、最大５室を芳香剤用室として利用できる。つまり、最大５種類の芳香剤２７を一度にセットすることができる。
【００２３】
図１３は、本実施の形態における香り供給装置のブロック構成図である。なお、図１３には、図１乃至図１２を用いて説明した構成のうち直接的な動作制御対象となるステップモーター２３とファン２５のみを図示した。図１３には、中央制御部３１、ユーザインタフェース（ＵＩ）部３２、設定値保存部３３及び通信処理部３４が示されている。中央制御部３１は、香り供給装置全体の動作制御を行う。中央制御部３１に含まれる送風制御部３５は、ファン２５の動作制御を行う。具体的には、ファン２５のオン／オフ制御のみでよいが、風量の調整等を行えるようにしてもよい。また、回転制御部３６は、ステップモーター２３の動作制御を行う。具体的には、収納容器９は等分に仕切られているためステップ数の制御により各室に設けられた壁面穴１０が送気口６と一致する位置にくるように収納容器９を回動させる。１ステップにおける回転角度は、収納容器９に設けられた室数によって決定する必要があるため、この回転角度の決定に必要な情報等を入力設定するための手段としてユーザインタフェース部３２を設け、また、設定値を保存するために設定値保存部３３を設けた。ただ、本実施の形態では、香り供給装置をかご１の天井に設置したため、エレベータの運行時に香り空気の変更を行うことは困難になってしまう。このため、本実施の形態では、通信処理部３４を設けてエレベータの運行中においても香り供給装置の本体２に対して遠隔操作ができるような構成とした。従って、ユーザインタフェース部３２を遠隔操作地側に設け、通信処理部３４を介して各種情報を設定できるような構成としてもよい。また、設定値保存部３３も同様に遠隔操作地側に設けてもよい。
【００２４】
図１乃至図１２には図示していないが、少なくとも中央制御部３１及び通信処理部３４は、本体２の内部に搭載することになる。ユーザインタフェース部３２は、本体２の側面等香り供給装置の取扱者による操作が可能な位置に設ければよい。あるいは、中央制御部３１との接続端子を設けて、取扱者が携帯するユーザインタフェース部３２をその接続端子に接続して各種設定ができるような構成としてもよい。
【００２５】
次に、本実施の形態における動作について説明する。
【００２６】
香り供給装置の取扱者は、外箱５の蓋１４と収納容器９の蓋１３を取り外し、収納容器９の室２８に希望する香りの芳香剤２７を収納した後、蓋１３，１４を閉める。芳香剤２７は、収納容器９の網状の内底２１により収納容器９内の空間に浮いた状態で置かれる。
【００２７】
また、香り供給装置の取扱者は、収納容器９に設けた室数は６室に等分割されていることを事前に設定し、ステップモーター２３における移動量を決定しておく必要がある。そして、どの室にどの種類の芳香剤２７を収納したかを設定値保存部３３に設定登録しておき、香りを遠隔地から選択できるようにしておく。
【００２８】
ここで、かご１内に供給する香りの芳香剤２７が入った室２８の壁面穴１０が送気口６と一致する位置を、収納容器９の「送気位置」と表現することにする。収納容器９は、ステップモーター２３の動作により室２８又は室２９のいずれかが送気位置に停止するよう制御される。今、希望する香りの芳香剤２７が入った室２８を送気位置に停止させ、その状態でファン２５を回し送風を開始させる。すると、スリット７から吸入された外気は、本体２の通気口１８、収納容器９の通気穴２０を通って収納容器９内に送気され、ここでこの室２８内の芳香剤２７の香りを含んだ香り空気となる。その香り空気は、収納容器９の壁面穴１０から送気口６、配管３を通ってかご１内の吹出口４から放出される。なお、収納容器９の底面に貼り付けられるフェルト状のパッキン２２によりそれぞれの室２８の香りが他の室２８の香りと混じり合うことはない。
【００２９】
以上のようにして、所望の香りがかご１の中に供給される。所定時間かご１内に香り空気を供給した後にタイマ等を用いて自動的に、あるいは取扱者により手動的にファン２５を停止させる。その後、収納容器９の芳香剤２７の入っていない室２９をステップモーター２３の動作により送気位置まで回転移動させる。ここで、ファン２５を再び回し送風を開始させると、室２９には芳香剤がないため、送気口６から吹出口４までの間、特に配管３の中に滞留していた香り空気がかご１内に排気される。これにより、本体２から吹出口４までの間に香り空気がなくなり無臭の状態となる。このようにして、次の香り空気の供給に備える。この後、取扱者によりユーザインタフェース部３２からの入力操作により異なる香りの芳香剤２７が収納された室が選択されると、中央制御部３１は、その入力操作に応じて収納容器９を回転させ、入力指示された室２８を送気位置に合わせる。その後、ファン２５を駆動して送風を開始させる。これにより、選択された新たな香り空気がかご１の内部に供給される。
【００３０】
本実施の形態によれば、収納容器９の内部を仕切り１１によって複数の室に分け、各室に芳香剤２７を収納し、収納容器９を回転させることで香り空気を生成する芳香剤２７を選択できるような構成とした。このため、芳香剤の種類数分の配管や電磁弁等の部品は不要となり、この結果装置を安価に提供することができる。また、本実施の形態では、収納容器９の内部を６分割したので、残香除去用室を設けるとすると最大５種類の芳香剤まで容易に増やすことができる。
【００３１】
ところで、本実施の形態では、内部が６分割された収納容器９を用いた例を示したが、例えば８分割された収納容器９に差し替えることで７種類の芳香剤に対応できる香り供給装置として提供することができる。また、仕切り１１を固定式ではなく着脱可能とすることで室数を調整できるような構成としてもよい。但し、この場合は、仕切り１１の位置と送気口６及び通気穴２０との位置関係が問題になってくる。これは、例えば数多くの壁面穴１０及び通気穴２０を予め形成しておき、仕切り１１の位置によって不要となる穴１０，２０は蓋でふさぐように構成すれば、１つの収納容器９で室数を変更することができる。
【００３２】
本実施の形態における香り供給装置の本体２の大きさに影響を与える要因としては、送風能力を決定するファン２５のサイズ、収納する芳香剤の大きさがあると考えられる。従って、芳香剤を小さくすれば本体２の大きさも小さくできる可能性があり、これにより本体２をかご１の天井ではなくかご室の中に設置することも可能になってくる。このように、本実施の形態は、芳香剤の種類の増加によって装置本体が大規模にならないばかりか、装置本体の直径方向若しくは高さ方向の大きさの調整もしやすい構成を有している。
【００３３】
また、本実施の形態では、外箱５の中に収納容器９を収容し、収納容器９を回転させるように構成した。ただ、回転させるのは、複数の室の中からただ一つの室を選択するためであり、必ずしも収納容器９を回転させる必要はない。例えば、香り空気を送り出す壁面穴１０を、外気を吸入する通気穴２０のように構成し、収納容器９を固定して外箱側を回動させる。このように、収納容器９を相対的に回動させるような構造としてもよい。
【図面の簡単な説明】
【００３４】
【図１】本発明に係る香り供給装置の一実施の形態を示した全体構成図である。
【図２】本実施の形態における香り供給装置本体の分解斜視図である。
【図３】本実施の形態における香り供給装置本体を構成する外箱の平面図である。
【図４】本実施の形態における香り供給装置本体を構成する外箱の側面図である。
【図５】本実施の形態における香り供給装置本体を構成する収納容器の平面図である。
【図６】本実施の形態における香り供給装置本体を構成する収納容器の側面図である。
【図７】本実施の形態における香り供給装置本体を構成する外箱の蓋の平面図である。
【図８】本実施の形態における香り供給装置本体を構成する外箱の蓋の側面図である。
【図９】本実施の形態における香り供給装置本体を構成する外箱内の二重空間のうち下部空間内の平面図である。
【図１０】本実施の形態における香り供給装置本体を構成する外箱内の二重空間のうち下部空間内の側面図である。
【図１１】本実施の形態において収納容器に芳香剤を収納したときの本体の平面図である。
【図１２】本実施の形態において収納容器に芳香剤を収納したときの本体の側面図である。
【図１３】本実施の形態における香り供給装置のブロック構成図である。
【図１４】従来の香り供給装置の全体構成図である。
【符号の説明】
【００３５】
１  かご、２  本体、３  配管、４  吹出口、５  外箱、６  送気口、７  スリット、８  足、９  収納容器、１０  壁面穴、１２  回転軸、１３，１４  蓋、１５，１７  軸穴、１６，２１  内底、１８  通気口、１９  スペーサー、２０  通気穴、２２  パッキン、２３  ステップモーター、２４  継手、２５  ファン、２６  エアフィルター、２７  芳香剤、２８，２９  室、３１  中央制御部、３２  ユーザインタフェース（ＵＩ）部、３３  設定値保存部、３４  通信処理部、３５  送風制御部、３６  回転制御部。
【図１】
2006021923.tif 000003
【図２】
2006021923.tif 000004
【図３】
2006021923.tif 000005
【図４】
2006021923.tif 000006
【図５】
2006021923.tif 000007
【図６】
2006021923.tif 000008
【図７】
2006021923.tif 000009
【図８】
2006021923.tif 000010
【図９】
2006021923.tif 000011
【図１０】
2006021923.tif 000012
【図１１】
2006021923.tif 000013
【図１２】
2006021923.tif 000014
【図１３】
2006021923.tif 000015
【図１４】
2006021923.tif 000016